(57)【要約】【課題】袋の閉鎖された底部側を粉粒体を供給する所望の箇所内に挿入して上記底部を簡単に開口でき、袋に充填されている粉粒体を周囲に飛散することなく、安全、確実に供給できるようにした粉粒体充填袋を提供することにある。【解決手段】開閉可能な底部開口部６を備えた粉粒体充填用の袋本体２と、底部開口部６を仮止め閉鎖して先端部を袋本体２の外側に設け上記の先端部を摘んで引き抜くことにより底部開口部６の仮止め閉鎖を解除して底部開口部６を開口する紐３と、を備えている。【選択図】  図１
2008007148.tif 000002
【特許請求の範囲】
【請求項１】
開閉可能な底部開口部を備えた粉粒体充填用の袋本体と、底部開口部を仮止め閉鎖して先端部を袋本体の外側に設けた紐とからなり、上記紐の先端部を摘んで引き抜くことにより底部開口部の仮止め閉鎖を解除して底部開口部を開放できるようにした構成を特徴とする粉粒体充填袋。
【発明の詳細な説明】
【技術分野】
【０００１】
本発明は、各種の粉体や粒体を充填して所望の箇所で排出することができる粉粒体充填袋に関するものである。
【背景技術】
【０００２】
一般に各種の運動競技会や、学校等の運動会、体育祭、陸上競技等においては、各種の屋外スポーツを行う場合、それぞれのスポーツに応じてグランドにラインカー（線引き用具）によって消石灰の白線を引いている。
【０００３】
この消石灰はアルカリ性の強い粉体であり、簡単には破れない紙や樹脂シートで形成された袋に充填されていて、袋の上端の開口部を糸で縫いつけて封じてある。
【０００４】
そしてグランドに白線を引く場合は、消石灰の入っている袋の上端の開口部を糸を外して開口し、この袋を抱えて逆さにし、開いた開口部をラインカーの受け口に向け、自重による落下によって消石灰をラインカー内に入れている。
【０００５】
しかしながら、上記したように消石灰の入っている袋を逆さにしてラインカーに入れる場合、袋の開口部が必ずしもラインカーの受け口から中に上手く挿入されるとは限らず、袋に消石灰が満杯のときには重いために、紙袋を逆さに近い状態にしたら受け口内に紙袋の開口部がまだ挿入されていないのに、直ぐに消石灰が自重により袋から出てしまう。
【０００６】
そのため、受け口と袋の開口部との間から消石灰が周囲に飛散してしまうといった問題があり、アルカリ性の強い消石灰を吸い込んだり、皮膚に付いたり、目に入ったりすると危険があり、身体に障害を与える懸念があった。
【０００７】
なお、本発明に関する参考文献としては、例えば粉体を充填する包装袋を開示した特許文献１等がある。この文献に開示の袋は、袋の下端側に充填口を設けるとともに、上端寄りに再封用のジッパーを設けたものである。そして、下端側の充填口から粉体を充填した後は、この充填口の下端をヒートシール接合してある。この袋から粉体を取り出す場合は、ジッパーより上の部分を切り取って粉体を取り出し、ジッパーを閉じることによって再封できるようにしてある。
【０００８】
しかしながら、この袋の場合も、開口した下端側の充填口は粉体の充填後にヒートシール接合によって完全に密閉される構成であり、また粉体を取り出す場合は上端開口から取り出すことになるため、この袋を消石灰を充填する袋として使用した場合には、先に説明したような袋の問題を有し、懸念を払拭することはできない。
【０００９】
【特許文献１】実開平５−９４１３９号公報
【発明の開示】
【発明が解決しようとする課題】
【００１０】
本発明は上記のような点に鑑みて開発されたものである。その目的は、袋の閉鎖された底部側を粉粒体を供給する所望の箇所内に挿入して上記底部を簡単に開口でき、袋に充填されている粉粒体が周囲に飛散するのを極力防いで、安全、確実に所望の箇所に供給できるようにした粉粒体充填袋を提供することにある。
【課題を解決するための手段】
【００１１】
本発明は上記のような目的を有効に達成するために、次のような構成からなるものである。すなわち、本発明は、開閉可能な底部開口部を備えた粉粒体充填用の袋本体と、底部開口部を仮止め閉鎖して先端部を袋本体の外側に設けた紐とからなり、上記紐の先端部を摘んで引き抜くことにより底部開口部の仮止め閉鎖を解除して底部開口部を開放できるようにした構成を特徴とする粉粒体充填袋である。
【発明の効果】
【００１２】
上記のような構成からなる本発明の粉粒体充填袋では、袋本体に充填した粉粒体を所望の場所で排出する場合には、袋本体を持ち上げて底部を所望の箇所内または所望の箇所の極傍に位置させ、袋本体外に配した紐の先端部を引くことにより、紐の後部で閉鎖されていた底部開口部が開放されて自重で粉粒体は排出し、粉体の場合は煙のように周囲に飛散するのを最小限に抑えて容易に所望の箇所に供給することができ、また、粒体の場合も粉体と同様に周囲に飛散するのを極力防止できる。そのため、煙のように周囲に飛散する粉体を作業者が吸うといったことを極力防止できて安全に袋本体からの排出作業を行うことができ、また粒体の場合も周囲に飛散したとしても極僅かであるので回収作業も短時間に容易に行うことができる。
【発明を実施するための最良の形態】
【００１３】
以下、本発明を実施するための最良の形態を図に基いて説明する。
図１〜図３は本発明に係る粉粒体充填袋に関する図であって、図１は本発明に係る一例の粉粒体充填袋の斜視図、図２は粉粒体を充填した粉粒体充填袋から粉粒体を排出するときの説明図、図３は粉粒体を充填した粉粒体充填袋の断面の説明図である。
【００１４】
上記の粉粒体充填袋１は、袋本体２と、紐３およびリング４とからなる。袋本体２は、ポリ塩化ビニル，ポリエチレン，ポリスチレン等の合成樹脂シートや、紙によって適宜の大きさの角筒状に形成し、上部開口部５を密閉するとともに底部開口部６を開閉可能にしたものである。
【００１５】
すなわち、袋本体２の底部２ａには、内側に横断面三角形状に折り込めるように折り目７を図示のように複数個所に形成されている。また、底部２ａの対峙する長辺の下端片部８には、一列に一定間隔を以って複数の孔９が形成してある。上記の底部２ａを各折り目７に沿って内側に折り畳むことにより、対峙する両下端片部８は当接して両下端片部８の各孔９を一致させ、袋本体２の底部２ａの外側に横断面三角径状の窪み部１０(図３)が形成される。
【００１６】
袋本体２の上部２ｂは、この例では両側面１１の上縁１１ａを円弧状に形成し、この上縁１１ａに沿って前後側の上面部１２を被せて接着し、互いの上面部１２の上端片部１３を当接させて接着し上部開口部５を閉鎖してある。両上端片部１３には長穴１４を設けて指を挿入して袋本体２を持てるようにしてある。
【００１７】
袋本体２の上面部１２の上端片部１３寄りの端には、紐３を挿入するための孔１５が設けてある。勿論、この孔１５は袋本体２の上部側の他の箇所に設けてもよい。
【００１８】
上記の孔１５から袋本体２内に挿入した紐３によって、底部２ａの両下端片部８の孔９に交互に挿入して縫い付けて両下端片部８を閉鎖してある。
【００１９】
また、袋本体２の外に突出させてある紐３の先端部には、紐３を引き出し易いようにリング４が結び付けてある。
【００２０】
なお、袋本体２への充填物１６（粉体または粒体）の充填は、底部開口部６を紐３で閉鎖した後に、開放されている上部開口部５から充填し、充填が完了した後に上部開口部５を接着剤等で閉鎖すればよい。
【００２１】
上記のような構成からなる粉粒体充填袋にあっては、例えば充填物１６が運動場等に白線を引く石灰（粉体）の場合は、ラインカーの石灰投入口に、袋本体２の閉鎖された底部開口部６を位置させる。この場合、袋本体２の下部側の外周面をラインカーの石灰投入口の中に入れる。そして、リング４に指を引っ掛けて紐３を引き抜くことにより、石灰の自重により底部開口部６は開放されてラインカーの石灰投入口内に排出されていき、さらに、除々に袋本体２を上に引き上げていくことにより、石灰が周囲に飛散することなく、スムースにラインカー内に供給されることになる。
【００２２】
また、上記の粉粒体充填袋１に充填した充填物１６が米(粒体)の場合も、上記と同様にして計量米びつの米投入口に、上記と同様にして袋本体２の閉鎖された底部開口部６を位置させて紐３を引き抜き、底部開口部６を開放して米を周囲に散らかすことなくスムースに計量米びつ内に投入することができる。
【００２３】
なお、本発明の粉粒体充填袋は、上記した消石灰や米の充填袋に限らず、あらゆる種類の粉体または粒体の充填袋として使用することができる。
【図面の簡単な説明】
【００２４】
【図１】本発明に係る一例の粉粒体充填袋の斜視図である。
【図２】粉粒体を充填した粉粒体充填袋から粉粒体を排出するときの説明図である。
【図３】粉粒体を充填した粉粒体充填袋の断面の説明図である。
【符号の説明】
【００２５】
１    粉粒体充填袋
２    袋本体
３    紐
６    底部開口部
１６  充填物（粉粒体）
【図１】
2008007148.tif 000003
【図２】
2008007148.tif 000004
【図３】
2008007148.tif 000005